【手続補正書】
【提出日】平成25年3月7日(2013.3.7)
【手続補正１】
【補正対象書類名】明細書
【補正対象項目名】０１２２
【補正方法】変更
【補正の内容】
【０１２２】
本開示の範囲及び趣旨を逸脱することなく本開示に対する様々な改変及び変更が可能であることは当業者には明らかであろう。本開示は本明細書に記載される説明的実施形態及び実施例によって不要に限定されるものではない点、更にこうした実施例及び実施形態はあくまで一例として示されるものであって本開示の範囲は以下の「特許請求の範囲」によってのみ限定されるものである点は理解されるはずである。
以下もまた開示される。
［１］  疎水性モノマーを含む組成物であって、
下記構造：
ＣＨ２＝ＣＲ４Ｃ（Ｏ）ＮＨＣ（Ｒ１Ｒ１）（Ｃ（Ｒ１Ｒ１））ｎＣ（Ｏ）ＸＲ３
（式中、ｎは０又は１の整数であり；Ｒ１は、水素原子、アルキル、アリール、及びアルキルアリールの少なくとも１つから独立して選択され、該アルキル、アリール、及びアルキルアリールは全体で１０個以下の炭素原子を有し；Ｒ３は、アルキル、アリール、アルキルアリール及びエーテルの少なくとも１つから選択される疎水性基であり、該アルキル、アリール、アルキルアリール及びエーテルは全体で４〜３０個の範囲の炭素原子を有し；Ｒ４は、Ｈ又はＣＨ３であり；ＸはＯ又はＮＨである。）
を有し、
前記疎水性モノマーは、親水性指数が２５以下であるアミン又はアルコール（ＨＸＲ３）から誘導される組成物。
［２］  Ｒ１が、メチル、エチル、フェニル、又はこれらの組み合わせの少なくとも１つから独立して選択される、上記［１］に記載の組成物。
［３］  Ｒ３が、ベンジル、フェネチル、フェノキシエチル、フェニルプロピル、ブチル、ペンチル、ヘキシル、オクチル、ドデシル、オクタデシル、フェニルブチル、又はこれらの組み合わせの少なくとも１つから選択される、上記［１］又は［２］に記載の組成物。
［４］  前記疎水性モノマーが、
ＣＨ２＝ＣＨＣ（Ｏ）ＮＨＣ（ＣＨ３）（ＣＨ３）Ｃ（Ｏ）ＮＨ（ＣＨ２）４Ｃ６Ｈ５；
ＣＨ２＝ＣＨＣ（Ｏ）ＮＨＣ（ＣＨ３）（ＣＨ３）Ｃ（Ｏ）Ｏ（ＣＨ２）４Ｃ６Ｈ５；
ＣＨ２＝ＣＨＣ（Ｏ）ＮＨＣ（ＣＨ３）（ＣＨ３）Ｃ（Ｏ）ＮＨＣＨ２Ｃ６Ｈ５；
ＣＨ２＝ＣＨＣ（Ｏ）ＮＨＣ（ＣＨ３）（ＣＨ３）Ｃ（Ｏ）ＮＨ（ＣＨ２）２Ｃ６Ｈ５；
ＣＨ２＝ＣＨＣ（Ｏ）ＮＨＣ（ＣＨ３）（ＣＨ３）Ｃ（Ｏ）ＮＨ（ＣＨ２）２ＯＣ６Ｈ５；
ＣＨ２＝ＣＨＣ（Ｏ）ＮＨＣ（ＣＨ３）（ＣＨ３）Ｃ（Ｏ）ＮＨ（ＣＨ２）３Ｃ６Ｈ５；
ＣＨ２＝ＣＨＣ（Ｏ）ＮＨＣ（ＣＨ３）（ＣＨ３）Ｃ（Ｏ）ＮＨ（ＣＨ２）３ＣＨ３；
ＣＨ２＝ＣＨＣ（Ｏ）ＮＨＣ（ＣＨ３）（ＣＨ３）Ｃ（Ｏ）ＮＨ（ＣＨ２）５ＣＨ３；
ＣＨ２＝ＣＨＣ（Ｏ）ＮＨＣ（ＣＨ３）（ＣＨ３）Ｃ（Ｏ）ＮＨ（ＣＨ２）７ＣＨ３；
ＣＨ２＝ＣＨＣ（Ｏ）ＮＨＣ（ＣＨ３）（ＣＨ３）Ｃ（Ｏ）ＮＨ（ＣＨ２）１１ＣＨ３；
ＣＨ２＝ＣＨＣ（Ｏ）ＮＨＣ（ＣＨ３）（ＣＨ３）Ｃ（Ｏ）ＮＨ（ＣＨ２）１７ＣＨ３；又はこれらの組み合わせの少なくとも１つから選択される構造を有する、上記［１］〜［３］のいずれか一つに記載の組成物。
［５］  上記［１］〜［４］のいずれか一つに記載の疎水性モノマーを含む重合性混合物。
［６］  架橋モノマーを更に含む、上記［５］に記載の重合性混合物。
［７］  前記架橋モノマーが、Ｎ，Ｎ’−アルキレンビス（メタ）アクリルアミド、アルキレンビス（メタ）アクリレート、ジビニル芳香族化合物、ポリアリルエステル、又はこれらの組み合わせの少なくとも１つから選択される、上記［６］に記載の重合性混合物。
［８］  非架橋モノマーを更に含む、上記［５］〜［７］のいずれか一つに記載の重合性混合物。
［９］  前記非架橋モノマーが、ジメチルアクリルアミド、アクリルアミド、メタクリルアミド、ヒドロキシエチル（メタ）アクリレート、又はこれらの組み合わせの少なくとも１つから選択される、上記［８］に記載の重合性混合物。
［１０］  前記架橋モノマーの量が前記非架橋モノマーの量よりも大きい、上記［８］又は［９］に記載の重合性混合物。
［１１］  前記非架橋モノマーの量が前記疎水性モノマーの量よりも大きい、上記［８］〜［１０］のいずれか一つに記載の重合性混合物。
［１２］  ポロゲンを更に含む、上記［５］〜［１１］のいずれか一つに記載の重合性混合物。
［１３］  前記ポロゲンが、アルコール、エチレングリコール、ポリエチレングリコール、分散有機凝集体、プロピレングリコール、ポリプロピレングリコール、多糖類、又はこれらの組み合わせの少なくとも１つから選択される、上記［１２］に記載の重合性混合物。
［１４］  上記［５］〜［１３］のいずれか一つに記載の重合性混合物の反応生成物を含む物品。
［１５］  疎水的に誘導体化された支持体である、上記［１４］に記載の物品。
［１６］  前記疎水性モノマーが前記物品の全体にわたって均一に分配されている、上記［１４］又は［１５］に記載の物品。
［１７］  前記物品が、タンパク質、抗体、融合タンパク質、ワクチン、ペプチド、酵素、ＤＮＡ、ＲＮＡ、又はこれらの組み合わせの少なくとも１つを精製するために使用される、上記［１４］〜［１６］のいずれか一つに記載の物品の使用方法。
［１８］  疎水的に誘導体化された支持体を製造するための方法であって、
（ａ）混合物であって、
（ｉ）下記構造：
ＣＨ２＝ＣＲ４Ｃ（Ｏ）ＮＨＣ（Ｒ１Ｒ１）（Ｃ（Ｒ１Ｒ１））ｎＣ（Ｏ）ＸＲ３
（式中、ｎは０又は１の整数であり；Ｒ１は、水素原子、アルキル、アリール、及びアルキルアリールの少なくとも１つから独立して選択され、該アルキル、アリール、及びアルキルアリールは全体で１０個以下の炭素原子を有し；Ｒ３は、アルキル、アリール、アルキルアリール及びエーテルの少なくとも１つから選択される疎水性基であり、該アルキル、アリール、アルキルアリール及びエーテルは全体で４〜３０個の範囲の炭素原子を有し；Ｒ４は、Ｈ又はＣＨ３であり；ＸはＯ又はＮＨである。）
を有する疎水性モノマーと、
（ｉｉ）架橋モノマーと、
（ｉｉｉ）場合により、非架橋モノマーと、
を含む混合物を提供する工程と、
（ｂ）前記混合物を重合する工程と、
を含む方法。
［１９］  前記架橋モノマーの量が前記非架橋モノマーの量よりも大きい、上記［１８］に記載の方法。
［２０］  前記非架橋モノマーの量が前記疎水性モノマーの量よりも大きい、上記［１８］又は［１９］に記載の方法。
［２１］  前記重合性混合物が粒子である、上記［１８］〜［２０］のいずれか一つに記載の方法。
［２２］  前記重合性混合物が、織布、不織布、微多孔性繊維、微多孔性膜、フィルム、又はこれらの組み合わせの少なくとも１つにコーティング又はグラフトされる、上記［１８］〜［２１］のいずれか一つに記載の方法。
［２３］  疎水的に誘導体化された支持体を製造するための方法であって、
（ａ）疎水性モノマーであって、
下記構造：
ＣＨ２＝ＣＲ４Ｃ（Ｏ）ＮＨＣ（Ｒ１Ｒ１）（Ｃ（Ｒ１Ｒ１））ｎＣ（Ｏ）ＸＲ３
（式中、ｎは０又は１の整数であり；Ｒ１は、水素原子、アルキル、アリール、及びアルキルアリールの少なくとも１つから独立して選択され、該アルキル、アリール、及びアルキルアリールは全体で１０個以下の炭素原子を有し；Ｒ３は、アルキル、アリール、アルキルアリール及びエーテルの少なくとも１つから選択される疎水性基であり、該アルキル、アリール、アルキルアリール及びエーテルは全体で４〜３０個の範囲の炭素原子を有し；Ｒ４は、Ｈ又はＣＨ３であり；ＸはＯ又はＮＨである。）
を有する疎水性モノマーを与える工程と、
（ｂ）基材を与える工程と、
（ｃ）前記疎水性モノマーを前記基材と接触させる工程と、
（ｄ）前記疎水性モノマーを重合する工程と、
を含む方法。
［２４］  前記重合する工程によって、前記基材上にコーティングが形成される、上記［２３］に記載の方法。
［２５］  前記重合する工程によって、前記基材からのグラフトが形成される、上記［２３］に記載の方法。
［２６］  前記基材が、多孔性膜、フィルム、不織布、又はこれらの組み合わせの少なくとも１つである、上記［２３］〜［２５］のいずれか一つに記載の方法。
【手続補正２】
【補正対象書類名】特許請求の範囲
【補正対象項目名】全文
【補正方法】変更
【補正の内容】
【特許請求の範囲】
【請求項１】
疎水性モノマーを含む組成物であって、
下記構造：
ＣＨ２＝ＣＲ４Ｃ（Ｏ）ＮＨＣ（Ｒ１Ｒ１）（Ｃ（Ｒ１Ｒ１））ｎＣ（Ｏ）ＸＲ３
（式中、ｎは０又は１の整数であり；Ｒ１は、アルキル、アリール、及びアルキルアリールの少なくとも１つから独立して選択され、該アルキル、アリール、及びアルキルアリールは全体で１０個以下の炭素原子を有し；Ｒ３は、アルキル、アリール、アルキルアリール及びエーテルの少なくとも１つから選択される疎水性基であり、該アルキル、アリール、アルキルアリール及びエーテルは全体で４〜３０個の範囲の炭素原子を有し；Ｒ４は、Ｈ又はＣＨ３であり；ＸはＮＨである。）
を有し、
前記疎水性モノマーは、親水性指数が２５以下であるアミン又はアルコール（ＨＸＲ３）から誘導される組成物。
【請求項２】
請求項１に記載の重合性混合物の反応生成物を含む物品。
【請求項３】
疎水的に誘導体化された支持体を製造するための方法であって、
（ａ）混合物であって、
（ｉ）下記構造：
ＣＨ２＝ＣＲ４Ｃ（Ｏ）ＮＨＣ（Ｒ１Ｒ１）（Ｃ（Ｒ１Ｒ１））ｎＣ（Ｏ）ＸＲ３
（式中、ｎは０又は１の整数であり；Ｒ１は、水素原子、アルキル、アリール、及びアルキルアリールの少なくとも１つから独立して選択され、該アルキル、アリール、及びアルキルアリールは全体で１０個以下の炭素原子を有し；Ｒ３は、アルキル、アリール、アルキルアリール及びエーテルの少なくとも１つから選択される疎水性基であり、該アルキル、アリール、アルキルアリール及びエーテルは全体で４〜３０個の範囲の炭素原子を有し；Ｒ４は、Ｈ又はＣＨ３であり；ＸはＯ又はＮＨである。）
を有する疎水性モノマーと、
（ｉｉ）架橋モノマーと、
（ｉｉｉ）場合により、非架橋モノマーと、
を含む混合物を提供する工程と、
（ｂ）前記混合物を重合する工程と、
（ｃ）前記重合された混合物を拘束してクロマトグラフィ媒質又は濾過媒質を生成する工程と、
を含む方法。
【請求項４】
疎水的に誘導体化された支持体を製造するための方法であって、
（ａ）疎水性モノマーであって、
下記構造：
ＣＨ２＝ＣＲ４Ｃ（Ｏ）ＮＨＣ（Ｒ１Ｒ１）（Ｃ（Ｒ１Ｒ１））ｎＣ（Ｏ）ＸＲ３
（式中、ｎは０又は１の整数であり；Ｒ１は、水素原子、アルキル、アリール、及びアルキルアリールの少なくとも１つから独立して選択され、該アルキル、アリール、及びアルキルアリールは全体で１０個以下の炭素原子を有し；Ｒ３は、アルキル、アリール、アルキルアリール及びエーテルの少なくとも１つから選択される疎水性基であり、該アルキル、アリール、アルキルアリール及びエーテルは全体で４〜３０個の範囲の炭素原子を有し；Ｒ４は、Ｈ又はＣＨ３であり；ＸはＯ又はＮＨである。）
を有する疎水性モノマーを与える工程と、
（ｂ）基材を与える工程と、
（ｃ）前記疎水性モノマーを前記基材と接触させる工程と、
（ｄ）前記疎水性モノマーを重合する工程と、
を含む方法。